(57)【特許請求の範囲】
【請求項１】
ケースと、上記ケースの内側に配置されたマグネットと、電源の接続により上記マグネットの内側で回転するアーマチュアと、上記ケースに回転可能に支持され、上記アーマチュアに備えたアーマチュア軸に結合して回転するウオームホイールと、上記ウオームホイールとケースとのあいだに配置され、該ウオームホイールの回転位置に対応して切換可能に設けられたワイパ定位置停止スイッチと、上記ウオームホイールから離れた位置において、ケースに回転可能に支持され、ケースの外側でワイパアームが結合されるワイパ軸と、上記ウオームホイールに一方が回転可能に結合されているとともに上記ワイパ軸側に他方が回転可能に結合されており、該ウオームホイールの回転運動を上記ワイパ軸の往復回動に変換して伝達する継手部材と、上記ワイパ定位置停止スイッチをウオームホイールの回転位置に対応して予め定められた複数個の位置に選択的に変更可能にして取付けるワイパ定位置停止スイッチ取付手段を備え、上記ワイパ定位置停止スイッチ取付手段には、上記ケースに貫通状に形成されたコネクタ取付部が上記ウオームホイールの円周方向に複数個所設けられ、該コネクタ取付部のうちのいずれか１個にコネクタが装着されており、該コネクタが装着されていない残りのコネクタ取付部を閉塞する閉塞部材が備えられていることを特徴とするワイパモータ。
【請求項２】
ケースと、上記ケースの内側に配置されたマグネットと、電源の接続により上記マグネットの内側で回転するアーマチュアと、上記ケースに回転可能に支持され、回転半径がそれぞれ異なる複数個のうちの１つに継手部材を結合可能な継手部材結合部を有し、上記アーマチュアに備えたアーマチュア軸に結合して回転するウオームホイールと、上記ウオームホイールの継手部材結合部に一方が回転可能に結合された継手部材と、上記ウオームホイールから離れた位置においてケースに回転可能に支持され、上記継手部材の他方が回転可能に結合された中間ギヤと、上記ウオームホイールから離れた位置においてケースに回転可能に支持されているとともに、上記中間ギヤに噛合された出力ギヤと、上記出力ギヤに結合され、ケースの外側でワイパアームが結合されるワイパ軸と、上記ウオームホイールのケースとの対向側に設けられたコンタクトプレートと、外部に電気的に接続されるとともに、上記コンタクトプレートに電気的に接続可能なコンタクタと、上記コンタクタを設けたコネクタと、上記ケースの上記コンタクトプレートに対向した位置において、上記ウオームホイールの所定の停止位置に対応して上記コネクタを選択的に装着可能なワイパ定位置停止スイッチ取付手段を備え、上記ワイパ定位置停止スイッチ取付手段には、上記ケースに貫通状に形成されたコネクタ取付部が上記ウオームホイールの円周方向に複数個所設けられ、該コネクタ取付部のうちのいずれか１個に上記コネクタが装着されており、該コネクタが装着されていない残りのコネクタ取付部を閉塞する閉塞部材が備えられていることを特徴とするワイパモータ。
【発明の詳細な説明】
【０００１】
【発明の属する技術分野】
この発明は、通電することによって払拭面を拭うのに利用されるワイパモータに関し、特に、ワイパアームを直接取付けるワイパ軸を備えたワイパモータに関する。
【０００２】
【従来の技術】
ワイパアームを直接取付けるワイパ軸を備えたワイパモータとしては、通電することによってアーマチュアがケース内を回転し、このアーマチュアの回転力によって、ケースに回転可能に支持されているウオームホイールが回転し、ウオームホイールの回転が継手部材によってワイパ軸の往復回動に変換され、ワイパ軸が往復で回動するものが知られている。ワイパ軸はケースの外側において結合されたワイパアームを払拭面上で往復揺動させるため、このワイパアームに装着したワイパブレードによって払拭面の一方の反転位置と他方の反転位置とのあいだを拭う。ウオームホイールには所定の導通範囲を有する一方、他方のコンタクトプレートがそれぞれ取付けられており、両コンタクトプレートの対向位置には一方のコンタクトプレート、他方のコンタクトプレートのいずれかに電気的に接続可能な一方のコンタクタと、他方のコンタクトプレートのみに電気的に接続可能な他方のコンタクタとがケースに絶縁されて固定され、両コンタクタはコントローラに電気的に接続されている。
【０００３】
このようなワイパモータは、ワイパスイッチがオン切換されると、コントローラよりアーマチュアに電流が供給されるため、アーマチュアが回転して、ワイパブレードにより払拭面を往復で拭うワイパ動作を行う。ワイパ動作中に、ワイパブレードが所定の停止位置にないとき、ワイパスイッチがオフ切換されると、一方のコンタクタが一方のコンタクトプレートに電気的に接続されているあいだは、一方のコンタクトプレートによって接地経路が形成され続けてアーマチュアに電流を供給しつづけ、ワイパブレードが所定の停止位置にくると、一方、他方のコンタクタが他方のコンタクトプレートにおいて電気的に接続されるため、アーマチュアにショート回路を形成して停止させ、ワイパブレードが所定の停止位置に停止する。
【０００４】
【発明が解決しようとする課題】
上記したようなワイパモータにおいて、車種毎に異なるワイパ揺動範囲に対応してワイパ停止位置を設定に際し、コンタクトプレートに対するコンタクタの位置を変えるのに、コンタクタの固定位置を異なるものとしたケースをそれぞれ作成しなければならなかったため、ワイパ停止位置毎に異なる仕様のワイパモータを多数製造することとなって、製品管理が複雑なものとなり、生産性に優れるとは言い難いという問題点があり、このような問題点を解決することが課題となっていた。
【０００５】
【発明の目的】
この発明に係わるワイパモータは、ワイパ停止位置の変更を複数個のうちから選択的に行えることによって、汎用性を高くして生産性の向上を図れるワイパモータを提供することを目的としている。
【０００６】
【発明の構成】
【０００７】
【課題を解決するための手段】
この発明の請求項１に係わるワイパモータでは、ケースと、上記ケースの内側に配置されたマグネットと、電源の接続により上記マグネットの内側で回転するアーマチュアと、上記ケースに回転可能に支持され、上記アーマチュアに備えたアーマチュア軸に結合して回転するウオームホイールと、上記ウオームホイールとケースとのあいだに配置され、該ウオームホイールの回転位置に対応して切換可能に設けられたワイパ定位置停止スイッチと、上記ウオームホイールから離れた位置において、ケースに回転可能に支持され、ケースの外側でワイパアームが結合されるワイパ軸と、上記ウオームホイールに一方が回転可能に結合されているとともに上記ワイパ軸側に他方が回転可能に結合されており、該ウオームホイールの回転運動を上記ワイパ軸の往復回動に変換して伝達する継手部材と、上記ワイパ定位置停止スイッチをウオームホイールの回転位置に対応して予め定められた複数個の位置に選択的に変更可能にして取付けるワイパ定位置停止スイッチ取付手段を備え、上記ワイパ定位置停止スイッチ取付手段には、上記ケースに貫通状に形成されたコネクタ取付部が上記ウオームホイールの円周方向に複数個所設けられ、該コネクタ取付部のうちのいずれか１個にコネクタが装着されており、該コネクタが装着されていない残りのコネクタ取付部を閉塞する閉塞部材が備えられている構成としたことを特徴としている。
【０００８】
この発明の請求項２に係わるワイパモータでは、ケースと、上記ケースの内側に配置されたマグネットと、電源の接続により上記マグネットの内側で回転するアーマチュアと、上記ケースに回転可能に支持され、回転半径がそれぞれ異なる複数個のうちの１つに継手部材を結合可能な継手部材結合部を有し、上記アーマチュアに備えたアーマチュア軸に結合して回転するウオームホイールと、上記ウオームホイールの継手部材結合部に一方が回転可能に結合された継手部材と、上記ウオームホイールから離れた位置においてケースに回転可能に支持され、上記継手部材の他方が回転可能に結合された中間ギヤと、上記ウオームホイールから離れた位置においてケースに回転可能に支持されているとともに、上記中間ギヤに噛合された出力ギヤと、上記出力ギヤに結合され、ケースの外側でワイパアームが結合されるワイパ軸と、上記ウオームホイールのケースとの対向側に設けられたコンタクトプレートと、外部に電気的に接続されるとともに、上記コンタクトプレートに電気的に接続可能なコンタクタと、上記コンタクタを設けたコネクタと、上記ケースの上記コンタクトプレートに対向した位置において、上記ウオームホイールの所定の停止位置に対応して上記コネクタを選択的に装着可能なワイパ定位置停止スイッチ取付手段を備え、上記ワイパ定位置停止スイッチ取付手段には、上記ケースに貫通状に形成されたコネクタ取付部が上記ウオームホイールの円周方向に複数個所設けられ、該コネクタ取付部のうちのいずれか１個に上記コネクタが装着されており、該コネクタが装着されていない残りのコネクタ取付部を閉塞する閉塞部材が備えられている構成としたことを特徴としている。
【０００９】
【発明の作用】
この発明に係わるワイパモータにおいて、ワイパ定位置停止スイッチは、ワイパ定位置停止スイッチ取付手段によって、車種毎に異なるワイパ揺動範囲に対応してケースにおいての取付位置が変更されることによってワイパ停止位置も変更される。それ故、ワイパ停止位置を変更するに際し、同一のケースにおいて取付位置を変更するだけとなり、多種のケースを作成する必要がなくなる。
【００１０】
【実施例】
図１ないし図１０にはこの発明に係わるワイパモータの一実施例が示されている。
【００１１】
図示するワイパモータ１は、主として、ケース２、マグネット３，４、アーマチュア５、ウオームホイール６、ワイパ定位置停止スイッチの一部を構成する第１のコンタクトプレート７および第２のコンタクトプレート８、ワイパ定位置停止スイッチの他の一部を構成する第１のコンタクタ９ａおよび第２のコンタクタ９ｂ、中間ギヤ１０、出力ギヤ１１、ワイパ軸１２、継手部材１３、ワイパ定位置停止スイッチ取付手段１４から構成されている。
【００１２】
ケース２は、図１に示されるように、アーマチュア５を収容するためのモータケース２ａと、ウオームホイール６，中間ギヤ１０，出力ギヤ１１および継手部材１３をそれぞれ収容するためのギヤケース２ｂとが備えられている。モータケース２ａの開口端部はギヤケース２ｂにビス１５によって固着され、ギヤケース２ｂは開口部が図２に示されるギヤケースカバー２ｃによって覆われている。モータケース２ａの内側にはＮ極、Ｓ極が対向位置に着磁された半円筒形のマグネット３，４が取付けられている。
【００１３】
モータケース２ａに収容されたアーマチュア５は、予め定められたスロット数のコイル巻回部５ａ１を有するアーマチュアコア５ａがアーマチュア軸５ｂに固定されており、このアーマチュア軸５ｂにはアーマチュアコア５ａの近くにコンミュテータ５ｃが設けられている。
【００１４】
コンミュテータ５ｃの外周側には上記スロット数に対応して絶縁された複数個のコンミュテータ片５ｃ１が設けられているため、各コンミュテータ片５ｃ１に電気的に接続されたうえでアーマチュアコア５ａのコイル巻回部５ａ１に巻かれたアーマチュアコイル５ｄが設けられている。コンミュテータ５ｃの各コンミュテータ片５ｃ１には複数個のブラシ５ｅが電気的に接続可能に配置され、各ブラシ５ｅは図示しない外部のコントローラとワイパスイッチとを介して電源に電気的に接続されているため、コントローラから各ブラシ５ｅに通電されると、アーマチュアコイル５ｄが各スロット毎に順次励磁されて磁力を発生し、アーマチュアコイル５ｄが発生した磁力と、マグネット３，４が発生している磁力とによりアーマチュア５が回転する。
【００１５】
アーマチュア５のアーマチュア軸５ｂは、モータケース２ａの開口端部とは反対側に取付けられた一方の軸受１６およびギヤケース２ｂに取付けられた他方の軸受１７によって回転可能に支持されている。また、アーマチュア５のアーマチュア軸５ｂはギヤケース２ｂ内に延出されてウオーム５ｂ１が形成されており、このウオーム５ｂ１にウオームホイール６が噛合っている。
【００１６】
ウオームホイール６の上面６ｃには、第１、第２、第３、第４、第５のワイパ揺動範囲設定用孔６ｃ１、６ｃ２、６ｃ３、６ｃ４、６ｃ５の５個所のうちの１つに、後述する継手部材１３を結合させるための継手部材結合部６ｄが選択的に設けられており、継手部材結合部６ｄに、継手部材１３の一端側に軸状に突出形成されたウオームホイール結合部１３ａが回転可能に結合されている。
【００１７】
継手部材１３は、板状をなす継手部材本体１３ｂの他端側に軸状に突出形成されたスイングアーム結合部１３ｃが設けられており、このスイングアーム結合部１３ｃは中間ギヤ１０に設けられたスイングアーム１０ａの先端側に回転可能に結合されている。
【００１８】
中間ギヤ１０は、中央にスイングアーム１０ａが一体的に形成されており、スイングアーム１０ａの基端側は中間ギヤ１０に同心配置されて、ギヤケース２ｂに固定された中間軸１０ｂにより回転可能に支持されており、この中間ギヤ１０の外周に形成された歯部１０ｃは出力ギヤ１１に有する歯部１１ａに噛合されている。
【００１９】
出力ギヤ１１はギヤケース２ｂ上で中間軸１０ｂから離れた位置に回転可能に支持されているワイパ軸１２に固定されており、このワイパ軸１２は図１に示されるように、ギヤケース２ｂの外側にワイパアーム２０の基端部が取付けられており、このワイパアーム２０の先端部には図示しないワイパブレードが装着される。
【００２０】
上述したウオームホイール６は、図６および図７に示される金型３０によって成形され、５個所の第１、第２、第３、第４、第５のワイパ揺動範囲設定用孔６ｃ１、６ｃ２、６ｃ３、６ｃ４、６ｃ５のうちの１つに、後述する継手部材１３を結合させるための継手部材結合部６ｄを形成し、第１、第２、第３、第４、第５のワイパ揺動範囲設定用孔６ｃ１、６ｃ２、６ｃ３、６ｃ４、６ｃ５のうちの継手部材結合部６ｄが形成されていない残りの４つに、第１、第２、第３、第４、第５の継手部材結合阻止突起６ｃ６、６ｃ７、６ｃ８、６ｃ９、６ｃ１０のいずれかを形成して継手部材１３が結合されないようにする。
【００２１】
ウオームホイール６を成形する金型３０は、主として、第１の金型３１と、この第１の金型３１に対向配置される第２の金型３２とから構成されている。
【００２２】
第１の金型３１には、図６に示されるように、第１の金型本体３１ｄの中央に、丸孔状をなす回転体本体形成用の有底孔部３１ａが形成されており、この有底孔部３１ａの中央に底面３１ａ１から棒形に突出した枢支軸孔形成用凸部３１ｂが形成されている。
【００２３】
有底孔部３１ａには、枢支軸孔形成用凸部３１ｂの外周側の複数個所から棒形に突出したワイパ揺動範囲設定用孔形成用の第１の凸部３１ｃ１、第２の凸部３１ｃ２、第３の凸部３１ｃ３、第４の凸部３１ｃ４、第５の凸部３１ｃ５がそれぞれ設けられている。
【００２４】
第１、第２、第３、第４、第５の凸部３１ｃ１、３１ｃ２、３１ｃ３、３１ｃ４、３１ｃ５は、有底孔部３１ａの中芯部より半径方向にそれぞれ異なる距離の位置において、円周方向に予め定められた約７２度の間隔でそれぞれ形成されている。
【００２５】
また、第１、第２、第３、第４、第５の凸部３１ｃ１、３１ｃ２、３１ｃ３、３１ｃ４、３１ｃ５の先端寄りには、第１、第２、第３、第４、第５の凸部３１ｃ１、３１ｃ２、３１ｃ３、３１ｃ４、３１ｃ５の中央部分まで略丸形状に切除された継手部材結合阻止突起形成用の第１、第２、第３、第４、第５の凹状部３１ｃ６、３１ｃ７、３１ｃ８、３１ｃ９、３１ｃ１０がそれぞれ設けられている。
【００２６】
第１、第２、第３、第４、第５の凹状部３１ｃ６、３１ｃ７、３１ｃ８、３１ｃ９、３１ｃ１０は、第１、第２、第３、第４、第５の凸部３１ｃ１、３１ｃ２、３１ｃ３、３１ｃ４、３１ｃ５の中心を通る線上において有底孔部３１ａの中芯部から図８に示される一定の距離Ｌだけ離れた位置を中心としてそれぞれ形成されている。
【００２７】
第１、第２、第３、第４、第５の凹状部３１ｃ６、３１ｃ７、３１ｃ８、３１ｃ９、３１ｃ１０は上述したように同一円周上に配置されているが、第１、第２、第３、第４、第５の凸部３１ｃ１、３１ｃ２、３１ｃ３、３１ｃ４、３１ｃ５が有底孔部３１ａの中芯部より半径方向にそれぞれ異なる距離の位置において形成されているため、第１、第２、第３、第４、第５の凸部３１ｃ１、３１ｃ２、３１ｃ３、３１ｃ４、３１ｃ５においての第１、第２、第３、第４、第５の凹状部３１ｃ６、３１ｃ７、３１ｃ８、３１ｃ９、３１ｃ１０の形状はいずれも同一とはならない。
【００２８】
他方、第２の金型３２には、図７に示されるように、第２の金型本体３２ａ上に丸棒状に突出した凸状部材３２ａ６がねじ止めされている。凸状部材３２ａ６は、第２の金型本体３２ａにねじ止めされているため、ねじ止め位置を変更可能にして、第２の金型本体３２ａに着脱自在に取付けられている。この凸状部材３２ａ６は、第１の金型３１の第１、第２、第３、第４、第５の凸部３１ｃ１、３１ｃ２、３１ｃ３、３１ｃ４、３１ｃ５に形成された第１、第２、第３、第４、第５の凹状部３１ｃ６、３１ｃ７、３１ｃ８、３１ｃ９、３１ｃ１０が第１の金型３１の中芯部から有する距離Ｌと同一の距離を置いて中芯部から離れた位置に配置され、第１、第２、第３、第４、第５の凹状部３１ｃ６、３１ｃ７、３１ｃ８、３１ｃ９、３１ｃ１０のそれぞれに同芯位置で一致する外径寸法および高さ寸法を有するものとして形成されている。
【００２９】
そして、第２の金型本体３２ａには、後述する第１のコンタクトプレート７よりもわずかに大きい相似形状であって、この第１のコンタトクプレート７の厚さ寸法にほぼ一致する高さ寸法を有して第２の金型本体３２ａの上面から円盤形状にわずかに突出した第１のコンタクトプレート取付け部形成用凸部３２ａ１が形成されており、この第１のコンタクトプレート取付け部形成用凸部３２ａ１の外周寄りの３個所に、小片状にして突出した第１のコンタクトプレート係止部形成用の係止凸部３２ａ２がそれぞれ形成されている。
【００３０】
そしてまた、第２の金型本体３２ａには、後述する第２のコンタクトプレート８よりもわずかに大きい相似形状であって、この第２のコンタトクプレート８の厚さ寸法にほぼ一致する高さ寸法を有して上面から略矩形状にわずかに突出した第２のコンタクトプレート取付け部形成用凸部３２ａ３が形成されており、この第２のコンタクトプレート取付け部形成用凸部３２ａ３の外側寄りの４個所に、第２のコンタクトプレート係止部形成用の係止凸部３２ａ４が形成されている。
【００３１】
そしてさらに、第２の金型本体３２ａは、第１のコンタクトプレート取付け部形成用凸部３２ａ１の外周寄りの３個所と、第２のコンタクトプレート取付け部形成用凸部３２ａ３の１個所とに、前述した凸状部３２ａ６よりも短い長さ寸法を有する円柱状のピン３２ａ７、３２ａ７、３２ａ７、３２ａ７がそれぞれねじ止められている。ピン３２ａ７は、凸状部材３２ａ６と同様にして第２の金型本体３２ａにねじ止めされているため、ねじ止め位置を変更可能にして、第２の金型本体３２ａに着脱自在に取付けられている。
【００３２】
凸状部材３２ａ６とピン３２ａ７、３２ａ７、３２ａ７、３２ａ７は、第１の金型３１の各凹状部３１ｃ６、３１ｃ７、３１ｃ８、３１ｃ９、３１ｃ１０に対応して配置されているため、凸状部３２ａ６を４個のピン３２ａ７、３２ａ７、３２ａ７、３２ａ７のうちの１個と交換してねじ止めることによって、第１の金型３１に対して位置が変更され、変更された位置において、凸状部材３２ａ６は、第１の金型３１の第１、第２、第３、第４、第５の凸部３１ｃ１、３１ｃ２、３１ｃ３、３１ｃ４、３１ｃ５に形成された第１、第２、第３、第４、第５の凹状部３１ｃ６、３１ｃ７、３１ｃ８、３１ｃ９、３１ｃ１０のうちの１個に合致する。
【００３３】
第１の金型３１は第２の金型３２に対向配置され、これらの金型３１、３２の組合せによって形成された空間に樹脂材料が注入されることによって、外形が略円盤形状をなすウオームホイール本体６ａを有し、中央に第１の金型３１の枢支軸孔形成用凸部３１ｂにより枢支軸孔６ｂを有するウオームホイール６が樹脂成形される。
【００３４】
このとき、第１の金型３１の第１の凸部３１ｃ１に有する第１の凹状部３１ｃ６に凸状部材３２ａ６が合致する位置が選ばれてねじ止めされ、残りの第２、第３、第４、第５の凸部３１ｃ７、３１ｃ８、３１ｃ９、３１ｃ１０にピン３２ａ７、３２ａ７、３２ａ７、３２ａ７がそれぞれねじ止められることによって、第２の金型３２が配置されると、第１の金型３１の第１、第２、第３、第４、第５の凸部３１ｃ１、３１ｃ２、３１ｃ３、３１ｃ４、３１ｃ５に形成された第１、第２、第３、第４、第５の凹状部３１ｃ６、３１ｃ７、３１ｃ８、３１ｃ９、３１ｃ１０のうち、第２、第３、第４、第５の凹状部３１ｃ７、３１ｃ８、３１ｃ９、３１ｃ１０には樹脂材料が注入されるが、第１の金型３１の第１の凸部３１ｃ１に有する第１の凹状部３１ｃ６には第３の金型３２ａの凸状部材３２ａ６が合致しているため、樹脂材料が注入されず、それによって、図８に示されるように、ウオームホイール６の第２、第３、第４、第５のワイパ揺動範囲設定用孔部６ｃ２、６ｃ３、６ｃ４、６ｃ５に第２、第３、第４、第５の継手部材結合阻止突起６ｃ７、６ｃ８、６ｃ９、６ｃ１０を形成し、図１０に示されるように、ウオームホイール６の第１のワイパ揺動範囲設定用孔６ｃ１を継手部材結合阻止突起のない孔状に形成して継手部材１３を結合可能とした継手部材結合部６ｄとする。第１のワイパ揺動範囲設定用孔６ｃ１に継手部材１３が結合可能とされることにより、ウオームホイール６は１７０度の揺動範囲が定められる。
【００３５】
上記とは異なり、第１の金型３１の第２の凸部３１ｃ２に有する第２の凹状部３１ｃ７に凸状部材３２ａ６が合致する位置が選ばれてねじ止めされ、残りの第１、第３、第４、第５の凸部３１ｃ６、３１ｃ８、３１ｃ９、３１ｃ１０にピン３２ａ７、３２ａ７、３２ａ７、３２ａ７がそれぞれねじ止められることによって、第２の金型３２が配置されると、ウオームホイール６の第１、第３、第４、第５のワイパ揺動範囲設定用孔６ｃ１、６ｃ３、６ｃ４、６ｃ５に第１、第３、第４、第５の継手部材結合阻止突起６ｃ６、６ｃ８、６ｃ９、６ｃ１０を形成し、ウオームホイール６の第２のワイパ揺動範囲設定用孔６ｃ２を継手部材結合阻止突起のない孔状に形成して継手部材１３を結合可能とする。第２のワイパ揺動範囲設定用孔６ｃ２に継手部材１３が結合可能とした継手部材結合部６ｄとして、ウオームホイール６は１３０度の揺動範囲が定められる。
【００３６】
また、第１の金型３１の第３の凸部３１ｃ３に有する第３の凹状部３１ｃ８に凸状部材３２ａ６が合致する位置が選ばれてねじ止めされ、残りの第１、第２、第４、第５の凸部３１ｃ６、３１ｃ７、３１ｃ９、３１ｃ１０にピン３２ａ７、３２ａ７、３２ａ７、３２ａ７がそれぞれねじ止められることによって、第２の金型３２が配置されると、ウオームホイール６の第１、第２、第４、第５のワイパ揺動範囲設定用孔６ｃ１、６ｃ２、６ｃ４、６ｃ５に第１、第２、第４、第５の継手部材結合阻止突起６ｃ６、６ｃ７、６ｃ９、６ｃ１０を形成し、ウオームホイール６の第３のワイパ揺動範囲設定用孔６ｃ３を継手部材結合阻止突起のない孔状に形成して継手部材１３を結合可能とした継手部材結合部６ｄとする。第３のワイパ揺動範囲設定用孔６ｃ３に継手部材１３が結合可能とされることにより、ウオームホイール６は１４０度の揺動範囲が定められる。
【００３７】
そして、第１の金型３１の第４の凸部３１ｃ４に有する第４の凹状部３１ｃ９に凸状部材３２ａ６が合致する位置が選ばれてねじ止めされ、残りの第１、第２、第３、第５の凸部３１ｃ６、３１ｃ７、３１ｃ８、３１ｃ１０にピン３２ａ７、３２ａ７、３２ａ７、３２ａ７がそれぞれねじ止められることによって、第２の金型３２が配置されると、ウオームホイール６の第１、第２、第３、第５のワイパ揺動範囲設定用孔６ｃ１、６ｃ２、６ｃ３、６ｃ５に第１、第２、第４、第５の継手部材結合阻止突起６ｃ６、６ｃ７、６ｃ８、６ｃ１０を形成し、ウオームホイール６の第４のワイパ揺動範囲設定用孔６ｃ４を継手部材結合阻止突起のない孔状に形成して継手部材１３を結合可能とした継手部材結合部６ｄとする。第４のワイパ揺動範囲設定用孔６ｃ４に継手部材１３が結合可能とされることにより、ウオームホイール４は１５０度の揺動範囲が定められる。
【００３８】
そしてまた、第１の金型３１の第５の凸部３１ｃ５に有する第５の凹状部３１ｃ１０に凸状部材３２ａ６が合致する位置が選ばれてねじ止めされ、残りの第１、第２、第３、第４の凸部３１ｃ６、３１ｃ７、３１ｃ８、３１ｃ９にピン３２ａ７、３２ａ７、３２ａ７、３２ａ７がそれぞれねじ止められることによって、第２の金型３２が配置されると、ウオームホイール６の第１、第２、第３、第４のワイパ揺動範囲設定用孔６ｃ１、６ｃ２、６ｃ３、６ｃ４に第１、第２、第３、第４の継手部材結合阻止突起６ｃ６、６ｃ７、６ｃ８、６ｃ９を形成し、ウオームホイール６の第５のワイパ揺動範囲設定用孔６ｃ５を継手部材結合阻止突起のない孔状に形成して継手部材１３を結合可能とした継手部材結合部６ｄとする。第５のワイパ揺動範囲設定用孔６ｃ５に継手部材１３が結合可能とされることにより、ウオームホイール４は１６０度の揺動範囲が定められる。
【００３９】
上述した第１、第２の金型３１、３２によって１７０度のワイパ揺動範囲が設定されたウオームホイール６には、ウオームホイール本体６ａの外側縁に、はすばの歯部６ａ１が形成されているとともに、ウオームホイール本体６ａの中央に枢支軸孔６ｂが設けられている。この枢支軸孔６ｂには後述する枢支軸１８が挿通される。
【００４０】
ウオームホイール６の上面６ｃには、枢支軸孔６ｂの外周側の５個所にワイパ揺動範囲設定部である第１のワイパ揺動範囲設定用孔部６ｃ１、第２のワイパ揺動範囲設定用孔６ｃ２、第３のワイパ揺動範囲設定用孔６ｃ３、第４のワイパ揺動範囲設定用孔６ｃ４、第５のワイパ揺動範囲設定用孔６ｃ５がそれぞれ設けられており、各ワイパ揺動範囲設定用孔６ｃ１、６ｃ２、６ｃ３、６ｃ４、６ｃ５は上面６ｃからほぼ中央部分まで丸孔状にして形成されている。
【００４１】
このとき、図８に示されるように、ウオームホイール６は、第１のワイパ揺動範囲設定用孔６ｃ１に継手部材１３が結合可能にされているため、枢支軸孔６ｂの中心から所定の距離だけ離れて設けられた第１のワイパ揺動範囲設定用孔６ｃ１によって、１７０度の揺動範囲が定められており、第２、第３、第４、第５のワイパ揺動範囲設定用孔６ｃ２、６ｃ３、６ｃ４、６ｃ５には第２、第３、第４、第５の継手部材結合阻止突起６ｃ７、６ｃ８、６ｃ９、６ｃ１０が形成されていて第２、第３、第４、第５のワイパ揺動範囲設定用孔６ｃ２、６ｃ３、６ｃ４、６ｃ５を略塞ぐものとなっているため、これら第２、第３、第４、第５のワイパ揺動範囲設定用孔６ｃ２、６ｃ３、６ｃ４、６ｃ５には継手部材１３を結合することができない。
【００４２】
そして、ウオームホイール６の下面６ｅには、図９に示されるように、上述した第２の金型３２ａの第１のコンタクトプレート形成用凸部３２ａ１および第１のコンタクトプレート形成用の係止凸部３２ａ２によって第１のコンタクトプレート７を固定するための第１のコンタクトプレート取付部６ｅ１が凹状に形成されているとともに、上述した第２の金型３２ａの第２のコンタクトプレート形成用凸部３２ａ３および第２のコンタクトプレート形成用の係止凸部３２ａ４によって第２のコンタクトプレート８を固定するための第２のコンタクトプレート取付部が凹状に形成されているため、第１のコンタクトプレート取付部６ｅ１に第１のコンタクトプレート７が取り付けられ、第２のコンタクトプレート取付部６ｅ２に第２のコンタクトプレート８が第１のコンタクトプレート７から絶縁されて取り付けられている。
【００４３】
第１のコンタクトプレート７は、図９に示されるように、一部が切除された略円盤形の導通範囲７ａを有する金属製板であり、切除された部分が非導通範囲になっている。この第１のコンタクトプレート７の外側にはウオームホイール６への係止片７ｂが複数個所に形成されているため、複数個所の係止片７ｂがウオームホイール６の第１のコンタクトプレート取付部６ｅ１に形成された係止片挿入孔６ｅ３に圧入されることによって抜け止められて取付けられている。第１のコンタクトプレート７は接地されている。
【００４４】
第２のコンタクトプレート８は、第１のコンタクトプレート７の非導通範囲内に配置されることによって第１のコンタクトプレート７から絶縁されていて、第１のコンタクトプレート７の導通範囲から離れた導通範囲８ａを有する略矩形の金属製板である。この第２のコンタクトプレート８の外側にはウオームホイール６への係止片８ｂが複数個所に形成されているため、複数個所の係止片８ｂがウオームホイール６の第２のコンタクトプレート取付け部６ｅ２に形成された係止片挿入孔６ｅ４に圧入されることによって抜け止められて取付けられている。第２のコンタクトプレート８は接地されていない。
【００４５】
ウオームホイール６の第１のコンタクトプレート取付け部６ｅ１および第２のコンタクトプレート取付け部６ｅ２は、上面６ｃにおいて第１のワイパ揺動範囲設定用孔６ｃ１を選択して形成された継手部材結合部６ｄに対応して配置されているため、後述するワイパ軸１２のワイパ揺動範囲においての反転位置を停止位置に定める機能を有する。
【００４６】
第１、第２のコンタクタ７、８には、第１、第２のコンタクタ９ａ、９ｂが対向配置されている。
【００４７】
第１、第２のコンタクタ９ａ、９ｂは、弾性のある導電板によってそれぞれ独立して成形されており、図３に示されるように、中央部がワイパ定位置停止スイッチ取付手段１４の一部を構成するコネクタ１９に固定され、基端部がこのコネクタ１９に設けられた外部接続部１９ａ内に配置されており、先端部に第１、第２のコンタクトプレート７、８側に延びた接触部９ａ１、９ｂ１が形成されている。
【００４８】
第１のコンタクタ９ａの接触部９ａ１は、上述した第１のコンタクトプレート７の外側に配置されているため、第２のコンタクトプレート８にのみ電気的に接続されて第１のコンタクトプレート７には電気的に接続されない。
【００４９】
第２のコンタクタ９ｂの接触部９ｂ１は、第１のコンタクタ９ａの接触部９ａよりウオームホイール６の回転中心寄りに配置されているため、第１のコンタクトプレート７、第２のコンタクトプレート８のいずれか一方に電気的に接続される。
【００５０】
第１、第２のコンタクタ９ａ、９ｂは、図４に示されるように、コネクタ１９に備えた外部接続部１９ａに装着される外部コネクタ２２に有する外部配線を通じて外部のコントローラに電気的に接続され、ウオームホイール６が回転中、すなわち、ワイパ動作が行われている際に、ワイパスイッチがオフ切換えされると、第２のコンタクタ９ｂが第１のコンタクトプレート７に電気的に接続されている間は、第１のコンタクトプレート７によって第２のコンタクタ９ｂがローレベルとなって各ブラシ５ｅを通じてアーマチュア５に対する通電経路を形成しつづけ、第２のコンタクタ９ｂおよび第１のコンタクタ９ａがともに第２のコンタクトプレート８に電気的に接続されると、各ブラシ５ｅに対する閉回路を形成してアーマチュア５の回転を強制的に停止させ、ウオームホイール６すなわち、後述するワイパ軸１２を所定の停止位置に停止させてワイパ動作をオートストップさせる機能を有する。
【００５１】
一方、第１、第２のコンタクタ９ａ、９ｂが取り付けられているコネクタ１９は、図４に示されるように、ワイパ定位置停止スイッチ取付手段１４によってギヤケース２ｂにおいて複数個所のうちの１個所に選択されて取り付けられている。コネクタ１９は、矩形状に形成された本体１９ｂが後述する第１、第２、第３、第４、第５のコネクタ取付部１４ａ、１４ｂ、１４ｃ、１４ｄ、１４ｅに備えたガイド１４ａ２、１４ｂ２、１４ｃ２、１４ｄ２、１４ｅ２内にそれぞれ挿入可能になっており、それぞれのガイド１４ａ２、１４ｂ２、１４ｃ２、１４ｄ２、１４ｅ２内で第１、第２、第３、第４、第５のコネクタ取付部１４ａ、１４ｂ、１４ｃ、１４ｄ、１４ｅに備えたコネクタ係止突起１４ａ４、１４ｂ４、１４ｃ４、１４ｄ４、１４ｅ４に係止されることによってギヤケース２ｂに固定される。また、コネクタ１９には、本体１９ｂの外側に突出したノブ１９ｃが対向配置されており、ノブ１９ｃは弾性的に変形可能になっているため、コネクタ１９を第１、第２、第３、第４、第５のコネクタ取付部１４ａ、１４ｂ、１４ｃ、１４ｄ、１４ｅから取り外す際に指などで摘むことによって取り外しを容易に行えるようになっている。
【００５２】
他方、ギヤケース２ｂの裏面には、ワイパ定位置停止スイッチ取付手段１４の他の一部を構成する第１のコネクタ取付部１４ａ、第２のコネクタ取付部１４ｂ、第３のコネクタ取付部１４ｃ、第４のコネクタ取付部１４ｄ、第５のコネクタ取付部１４ｅが備えられている。
【００５３】
第１、第２、第３、第４、第５のコネクタ取付部１４ａ、１４ｂ、１４ｃ、１４ｄ、１４ｅには、図４に示されるように、ギヤケース２ｂの裏面に角孔状に貫通形成したコンタクタ挿入部１４ａ１、１４ｂ１、１４ｃ１、１４ｄ１、１４ｅ１がそれぞれ備えられているとともに、コンタクタ挿入部１４ａ１、１４ｂ１、１４ｃ１、１４ｄ１、１４ｅ１の上方側に、ギヤケース２ｂの裏面に沿った一方を開放した箱形状をなすガイド１４ａ２、１４ｂ２、１４ｃ２、１４ｄ２、１４ｅ２がそれぞれ備えられている。
【００５４】
また、第１、第２、第３、第４、第５のコネクタ取付部１４ａ、１４ｂ、１４ｃ、１４ｄ、１４ｅには、ガイド１４ａ２、１４ｂ２、１４ｃ２、１４ｄ２、１４ｅ２の上面に矩形状に切除した切欠１４ａ３、１４ｂ３、１４ｃ３、１４ｄ３、１４ｅ３がそれぞれ備えられている。
【００５５】
第１、第２、第３、第４、第５のコネクタ取付部１４ａ、１４ｂ、１４ｃ、１４ｄ、１４ｅは、ワイパ軸１２が１３０度のワイパ揺動範囲に選択されている際、第１のコネクタ取付部１４ａにコネクタ１９を装着させることによって、第１、第２のコンタクタ９ａ、９ｂが第２のコンタクトプレート８に同時に電気的に接続されるタイミングが定められ、これに反して、ワイパ軸１２が１４０度のワイパ揺動範囲に選択されている際、第２のコネクタ取付部１４ｂにコネクタ１９を装着させることによって、第１、第２のコンタクタ９ａ、９ｂが第２のコンタクトプレート８に同時に電気的に接続されるタイミングが定められ、また、ワイパ軸１２が１５０度のワイパ揺動範囲に選択されている際、第３のコネクタ取付部１４ｃにコネクタ１９を装着させることによって、第１、第２のコンタクタ９ａ、９ｂが第２のコンタクトプレート８に同時に電気的に接続されるタイミングが定められ、そしてまた、ワイパ軸１２が１６０度のワイパ揺動範囲に選択されている際、第４のコネクタ取付部１４ｄにコネクタ１９を装着させることによって、第１、第２のコンタクタ９ａ、９ｂが第２のコンタクトプレート８に同時に電気的に接続されるタイミングが定められ、そしてさらに、ワイパ軸１２が１７０度のワイパ揺動範囲に選択されている際、第５のコネクタ取付部１４ｅにコネクタ１９を装着させることによって、第１、第２のコンタクタ９ａ、９ｂが第２のコンタクトプレート８に同時に電気的に接続されるタイミングが定められる。
【００５６】
このとき、コネクタ１９のギヤケース２ｂに対する取付けは、図５に示されるように、ギヤケース２ｂの下側から、コンタクタ挿入部１４ａ１、１４ｂ１、１４ｃ１、１４ｄ１、１４ｅ１のいずれかに挿入しながら、ガイド１４ａ２、１４ｂ２、１４ｃ２、１４ｄ２、１４ｅ２のいずれかの内側に押し入れることによって、本体１９ｂが係止されるため、容易に行われ、第１、第２、第３、第４、第５のコネクタ取付部１４ａ、１４ｂ、１４ｃ、１４ｄ、１４ｅから抜け止められる。
【００５７】
また、コネクタ１９が取り付けられていない第１、第２、第３、第４、第５のコネクタ取付部１４ａ、１４ｂ、１４ｃ、１４ｄ、１４ｅのうちの残りの４つには、外形がコネクタ１９に略等しい閉塞部材２１がそれぞれ取り付けられているため、各ガイド１４ａ２、１４ｂ２、１４ｃ２、１４ｄ２、１４ｅ２および各コンタクタ挿入部１４ａ１、１４ｂ１、１４ｃ１、１４ｄ１、１４ｅ１は閉塞されている。
【００５８】
このような構造を有するワイパモータ１は、リヤドア内に配置されてギヤケース２ｂがドアパネルに固定され、外部コネクタ２２が第１、第２、第３、第４、第５のコネクタ取付部１４ａ、１４ｂ、１４ｃ、１４ｄ、１４ｅのうちの１つに選択されて取り付けられ、第１、第２、第３、第４、第５のコネクタ取付部１４ａ、１４ｂ、１４ｃ、１４ｄ、１４ｅのうちのコネクタ１９が取り付けられていない残りの４つに閉塞部材２１がそれぞれ取り付けられ、車体パネルの外側に延出したワイパ軸１２にワイパアーム２０が装着されて車体に組付けられる。
【００５９】
そこで、ワイパスイッチがオン切換えされることによって各ブラシ５ｅに通電されると、アーマチュア５が回転するため、アーマチュア５のアーマチュア軸５ｂの回転力によってウオームホイール６が回転する。
【００６０】
ウオームホイール６が回転することによって、ウオームホイール６の上面６ｃにおいて継手部材結合部６ｄに結合された継手部材１３のウオームホイール結合部１３ａも回転運動し、この回転運動の動力が継手部材１３を介してスイングアーム１０ａに伝達されるため、スイングアーム１０ａおよび中間ギヤ１０は四節回転連鎖のリンク機構によって往復で回動し、中間ギヤ１０が往復で回動することによって出力ギヤ１１を往復で回動させてワイパ軸１２を往復で回動させる。ワイパ軸１２のワイパ揺動範囲は、ウオームホイール６上で各ワイパ揺動範囲設定用孔６ｃ１、６ｃ２、６ｃ３、６ｃ４、６ｃ５の中から第１のワイパ揺動範囲設定用孔６ｃ１に選ばれた継手部材結合部６ｄにより１７０度に定められているため、ワイパ軸１２に取付けるワイパアーム２０を払拭面上において一方の反転位置Ｂと他方の反転位置Ｃとのあいだでの１７０度の範囲で揺動させ、ワイパアーム２０の揺動範囲によってワイパブレードで払拭面を拭うワイパ動作を行う。。
【００６１】
ワイパ動作が行われている間に、ワイパスイッチがオフ切換えされると、ワイパ定位置停止スイッチ取付手段１４により第１のコネクタ取付部１４ａに選択されて取り付けられたコネクタ１９において、第２のコンタクタ９ｂが第１のコンタクトプレート７に電気的に接続されている間は、第１のコンタクトプレート７によって第２のコンタクタ９ｂがローレベルとなって各ブラシ５ｅを通じてアーマチュア５に対する通電経路を形成しつづけ、第２のコンタクタ９ｂおよび第１のコンタクタ９ａがともに第２のコンタクトプレート８に電気的に接続されると、各ブラシ５ｅに対する閉回路を形成してアーマチュア５の回転を強制的に停止させ、ワイパ軸１２を１７０度のワイパ揺動範囲の反転位置Ｂに停止させてワイパ動作をオートストップさせるものとなる。
【００６２】
【発明の効果】
以上説明してきたように、この発明に係わるワイパモータによれば、ワイパ定位置停止スイッチは、ワイパ定位置停止スイッチ取付手段によって、車種毎に異なるワイパ揺動範囲に対応してケースにおいての取付位置が変更されることによりワイパ停止位置も変更されるので、ワイパ停止位置を変更するに際し、同一のケースにおいて取付位置を変更するだけとなり、多種のケースを作成する必要がなくなるため、ワイパ停止位置の変更を選択的に行えることによって、汎用性を高くして生産性の向上を図れるという優れた効果を奏する。
【図面の簡単な説明】
【図１】この発明に係わるワイパモータの一部破断正面図である。
【図２】図１に示したワイパモータにおいてのＡ−Ａ線断面図である。
【図３】図１に示したワイパモータにおいてのワイパ定位置停止スイッチまわりの断面図である。
【図４】図１に示したワイパモータの背面図である。
【図５】図１に示したワイパモータにおいてのワイパ定位置停止スイッチ取付手段まわりの外観斜視図である。
【図６】図１に示したワイパモータにおいてのウオームホイールを成形する金型の外観斜視図である。
【図７】図１に示したワイパモータにおいてのウオームホイールを成形する金型の外観斜視図である。
【図８】図１に示したワイパモータにおいてのウオームホイールの平面図である。
【図９】図１に示したワイパモータにおいてのウオームホイールの背面図である。
【図１０】図１に示したワイパモータにおいてのウオームホイールの断面図である。
【符号の説明】
１      ワイパモータ
２      ケース
３      マグネット
４      マグネット
５      アーマチュア
５ｂ    アーマチュア軸
６      ウオームホイール
６ｄ    継手部材結合部
７      第１のコンタクトプレート（コンタクトプレート）（ワイパ定位置停止スイッチ）
８      第２のコンタクトプレート（コンタクトプレート）（ワイパ定位置停止スイッチ）
９ａ    第１のコンタクタ（コンタクタ）（ワイパ定位置停止スイッチ）
９ｂ    第２のコンタクタ（コンタクタ）（ワイパ定位置停止スイッチ）
１０    中間ギヤ
１１    出力ギヤ
１２    ワイパ軸
１３    継手部材
１４ａ  （１４） コネクタ取付部（ワイパ定位置停止スイッチ取付手段）
１４ｂ  （１４） コネクタ取付部（ワイパ定位置停止スイッチ取付手段）
１４ｃ  （１４） コネクタ取付部（ワイパ定位置停止スイッチ取付手段）
１４ｄ  （１４） コネクタ取付部（ワイパ定位置停止スイッチ取付手段）
１４ｅ  （１４） コネクタ取付部（ワイパ定位置停止スイッチ取付手段）
１９    コネクタ（ワイパ定位置停止スイッチ取付手段）
２０    ワイパアーム
２１    閉塞部材
【図１】
0003658600.tif 000002
【図２】
0003658600.tif 000003
【図３】
0003658600.tif 000004
【図４】
0003658600.tif 000005
【図５】
0003658600.tif 000006
【図６】
0003658600.tif 000007
【図７】
0003658600.tif 000008
【図８】
0003658600.tif 000009
【図９】
0003658600.tif 000010
【図１０】
0003658600.tif 000011